(57)【要約】      （修正有）【課題】ユーザーが簡易な作業で、コンタクトガラスの載置面の正しい位置に原稿を載置することを可能とする。【解決手段】原稿読取装置１０は、コンタクトガラスと、原稿押さえ部材１１と、読取ユニットと、読取制御部とを備える。原稿押さえ部材は、原稿押さえ部材１１が閉じられた状態においてコンタクトガラス２２の載置面２２Ａ上に載置された原稿の一部を上方に開放する開口部と、開口部を開閉する扉部１２とを有する。そして、原稿押さえ部材１１が閉じられ、かつ、扉部１２が開かれた場合に、ユーザーにより開口部を通じてコンタクトガラスの載置面上に載置された原稿を当該載置面上で移動させることが可能な状態となり、原稿押さえ部材１１が閉じられ、かつ、扉部１２が閉じられた場合に、読取制御部による制御の下、原稿読取ユニットがコンタクトガラスの載置面上に載置された原稿を読み取ることが可能な状態になる。【選択図】図２
2016220076.tif 000002
【特許請求の範囲】
【請求項１】
原稿が載置される載置面を有するコンタクトガラスと、
前記コンタクトガラスの載置面に対して開閉自在に設けられる原稿押さえ部材と、
前記コンタクトガラスの載置面上に載置された原稿を光学的に読み取る原稿読取ユニットと、
前記原稿読取ユニットによる原稿読取動作を制御する読取制御部と、を備え、
前記押さえ部材は、当該原稿押さえ部材が閉じられた状態において前記コンタクトガラスの載置面上に載置された原稿の一部を上方に開放する開口部と、当該開口部を開閉する扉部とを有し、
原稿押さえ部材が閉じられ、かつ、前記扉部が開かれた場合に、ユーザーにより前記開口部を通じて前記コンタクトガラスの載置面上に載置された原稿を当該載置面上で移動させることが可能な状態となり、
前記原稿押さえ部材が閉じられ、かつ、前記扉部が閉じられた場合に、前記読取制御部による制御の下、前記原稿読取ユニットが前記コンタクトガラスの載置面上に載置された原稿を読み取ることが可能な状態になる、原稿読取装置。
【請求項２】
表示部と、
前記表示部による表示動作を制御する表示制御部と、
前記コンタクトガラスの載置面上に載置された原稿の当該載置面上での移動を検知する移動検知部と、を更に備え、
前記表示制御部は、前記移動検知部が前記原稿の移動を検知した場合に、移動後の原稿のプレビュー画像を前記表示部に表示させる、請求項１に記載の原稿読取装置。
【請求項３】
原稿読取範囲の設定を受け付ける受付部を更に備え、
前記読取制御部は、前記受付部が受け付けた原稿読取範囲の全範囲を前記原稿読取ユニットに読み取らせることで、移動前の原稿を示す画像を取得し、その後に前記移動検知部が前記原稿の移動を検知した場合に、前記原稿読取範囲の一部の範囲を前記原稿読取ユニットに読み取らせることで、前記移動後の原稿の一部の領域を示す画像を取得し、
前記表示制御部は、前記移動後の原稿の一部の領域を示す画像について、前記移動後の原稿の一部の領域以外の領域を前記移動前の原稿を示す画像を用いて補完して、当該補完により得られた画像を前記移動後の原稿のプレビュー画像として前記表示部に表示させる、請求項２に記載の原稿読取装置。
【請求項４】
前記移動検知部は、前記コンタクトガラスの載置面上に載置された原稿の当該載置面上での移動量および移動方向を示す情報を取得し、
前記表示制御部は、前記移動量および移動方向を示す情報を用いて、前記移動後の原稿の一部の領域以外の領域を補完する処理を行う、請求項３に記載の原稿読取装置。
【請求項５】
前記読取ユニットは、主走査方向に延びたラインセンサを有し、副走査方向に移動可能に設けられ、
前記読取制御部は、前記原稿読取範囲の全範囲を前記原稿読取ユニットに読み取らせた後、前記原稿読取ユニットを予め定められた原稿移動検知位置に移動させ、当該予め定められた原稿移動検知位置で前記原稿読取ユニットに読み取りを行わせ、
前記移動検知部は、前記原稿読取ユニットから出力される画像の変化に基づき前記原稿の移動を検知する、請求項３または請求項４に記載の原稿読取装置。
【請求項６】
前記読取制御部は、前記受付部が受け付けた原稿読取範囲内であって、前記開口部の下方を除いた位置を、前記予め定められた原稿移動検知位置とする、請求項５に記載の原稿読取装置。
【請求項７】
前記扉部の開閉を検知する開閉検知センサーを更に有し、
前記移動検知部は、前記開閉検知センサーにより前記扉部が開かれた状態が検知されている場合に、前記原稿の移動を検知する処理を行う、請求項２乃至請求項６の何れか１項に記載の原稿読取装置。
【請求項８】
請求項１乃至請求項７の何れか１項に記載の原稿読取装置と、
前記原稿読取装置が原稿を読み取って取得した画像を記録紙に形成する画像形成部と、を備える画像形成装置。
【発明の詳細な説明】
【技術分野】
【０００１】
本発明は、原稿読取装置および原稿読取装置を備える画像形成装置に関する。
【背景技術】
【０００２】
スキャナー等の原稿読取装置は、一般に、原稿が載置される載置面を有するコンタクトガラスと、コンタクトガラスの載置面に対して開閉自在に設けられる原稿押さえ部材と、コンタクトガラスの載置面上に載置された原稿を光学的に読み取る原稿読取ユニットとを備えている（例えば、特許文献１参照）。ユーザーは、原稿の読み取りを行う際には、（１）原稿押さえ部材を開き、（２）コンタクトガラスの載置面に原稿を載置し、（３）原稿押さえ部材を閉じ、（４）原稿読取指示を原稿読取装置に入力する、という４つの作業を順に行う。
【先行技術文献】
【特許文献】
【０００３】
【特許文献１】特開２０１３−９３６７５号公報
【発明の概要】
【発明が解決しようとする課題】
【０００４】
コンタクトガラスの載置面に原稿を載置する上記の（２）の作業で原稿を正しい位置に載置できなかった場合、ユーザーの所望する出力（画像データや印刷物等）が得られない。この場合、ユーザーは、所望する出力が得られていないことを確認した後に、再度上記の（２）の作業を行う。
【０００５】
しかしながら、ユーザーが上記の（２）の作業を再度行うことにより原稿を正しい位置に載置できた場合であっても、その後の原稿押さえ部材を閉じる上記の（３）の作業において原稿押さえ部材を閉じる際に生じる風等により、原稿が正しい位置からずれるおそれがある。
【０００６】
また、画像データや印刷物等を出力する前に、すなわち、ユーザーが上記の（４）の作業を行う前に、液晶ディスプレイ（ＬＣＤ：Liquid Crystal Display）や有機ＥＬ（ＯＬＥＤ：Organic Light-Emitting Diode）ディスプレイ等の表示部にプレビュー画像を表示する原稿読取装置が存在するが、このような原稿読取装置であっても同様に、原稿押さえ部材を閉じる上記の（３）の作業において原稿押さえ部材を閉じる際に生じる風等により、原稿が正しい位置からずれるおそれがある。
【０００７】
本発明は、上記の事情に鑑みなされたものであり、ユーザーが簡易な作業で、コンタクトガラスの載置面の正しい位置に原稿を載置することを可能にすることを目的とする。
【課題を解決するための手段】
【０００８】
本発明の一局面にかかる原稿読取装置は、原稿が載置される載置面を有するコンタクトガラスと、前記コンタクトガラスの載置面に対して開閉自在に設けられる原稿押さえ部材と、前記コンタクトガラスの載置面上に載置された原稿を光学的に読み取る原稿読取ユニットと、前記原稿読取ユニットによる原稿読取動作を制御する読取制御部と、を備え、前記押さえ部材は、当該原稿押さえ部材が閉じられた状態において前記コンタクトガラスの載置面上に載置された原稿の一部を上方に開放する開口部と、当該開口部を開閉する扉部とを有し、原稿押さえ部材が閉じられ、かつ、前記扉部が開かれた場合に、ユーザーにより前記開口部を通じて前記コンタクトガラスの載置面上に載置された原稿を当該載置面上で移動させることが可能な状態となり、前記原稿押さえ部材が閉じられ、かつ、前記扉部が閉じられた場合に、前記読取制御部による制御の下、前記原稿読取ユニットが前記コンタクトガラスの載置面上に載置された原稿を読み取ることが可能な状態になる、原稿読取装置である。
【０００９】
また、本発明の別の一局面にかかる画像形成装置は、上記の原稿読取装置と、前記原稿読取装置が原稿を読み取って取得した画像を記録紙に形成する画像形成部と、を備える画像形成装置である。
【００１０】
上記の本発明によれば、ユーザーが簡易な作業で、コンタクトガラスの載置面の正しい位置に原稿を載置することが可能となる。
【図面の簡単な説明】
【００１１】
【図１】本発明の一実施形態にかかる原稿読取装置を備えた画像形成装置を示す斜視図である。
【図２】本発明の一実施形態にかかる原稿読取装置において原稿押さえ部材が開かれた状態を示す斜視図である。
【図３】（Ａ）および（Ｂ）は、本発明の一実施形態にかかる原稿読取装置の上面図であり、（Ａ）は、原稿押さえ部材の扉部が閉じられた状態を示し、（Ｂ）は、原稿押さえ部材の扉部が開かれた状態を示す。
【図４】本発明の一実施形態にかかる原稿読取装置の断面図である。
【図５】本発明の一実施形態にかかる原稿読取装置および画像形成装置の内部構成を示すブロック図である。
【図６】本発明の一実施形態にかかる原稿読取装置の原稿読取処理の流れを示すフローチャートである。
【図７】図６に示すフローチャートの処理のうち一部の処理の詳細な内容を示す図である。
【図８】（Ａ）および（Ｂ）は、本発明の一実施形態にかかる原稿読取装置の表示部に表示されるプレビュー画面の一例を示す図である。
【発明を実施するための形態】
【００１２】
以下、本発明の一実施形態にかかる原稿読取装置およびこれを備えた画像形成装置について図面を参照して説明する。図１は、本発明の一実施形態にかかる原稿読取装置を備えた画像形成装置を示す斜視図である。
【００１３】
画像形成装置１は、ファクシミリ通信機能、コピー機能、プリンター機能、およびスキャナー機能等の複数の機能を兼ね備えた複合機である。図１に示すように、画像形成装置１は、装置本体４０と、装置本体４０の上方に配置された原稿読取装置１０とから概略構成される。
【００１４】
装置本体４０の外郭を構成する筐体４１の内部には、給紙部４２や画像形成部４３（図５参照）等が収容されている。
【００１５】
給紙部４２は、用紙を収容する給紙カセット（不図示）と、当該給紙カセットに収容された用紙を画像形成部４３に向けて繰り出す繰出ローラー（不図示）とを備えている。
【００１６】
画像形成部４３は、感光体ドラム（不図示）、帯電装置（不図示）、露光装置（不図示）、および現像装置（不図示）等を備え、帯電、露光、現像の工程により、感光体ドラムに原稿読取装置１０が読み取った原稿のトナー画像を形成する。給紙部４２から搬送された用紙は、感光体ドラムに形成されたトナー像が転写され、定着処理が施された後に排出トレイ４４に排出される。
【００１７】
装置本体４０の筐体４１の前面には、表示部５１および物理キー５２からなる操作部５０が配置されている。
【００１８】
表示部５１は、液晶ディスプレイや有機ＥＬディスプレイで構成され、その表示面を上方に向けて配置されている。表示部５１は、後述する表示制御部１０３（図５参照）による制御に基づき、表示面に原稿読取や画像形成等に関する操作画面を表示する。
【００１９】
物理キー５２は、例えば、操作画面を構成するＧＵＩのフォーカスを移動させる矢印キー、操作画面を構成するＧＵＩに対して確定操作を行う決定キー、数値キー等である。物理キー５２は、表示部５１の表示面に表示される操作画面に対する操作をユーザーから受け付ける操作部として機能する。
【００２０】
また、表示部５１の表示面の上面には、不図示のタッチパネルが配置されている。当該タッチパネルは、所謂抵抗膜方式や静電容量方式等のタッチパネルである。タッチパネルは、表示部５１の表示面上におけるユーザーによる接触をその接触位置と共に検知する。タッチパネルは、ユーザーによる接触を検知すると、その接触点の座標位置を示す検知信号を後述する受付部１０４（図５参照）等に出力する。
【００２１】
続いて、既述の図１に加えて、図２〜図４を用いて、原稿読取装置１０の構成を説明する。図２は、原稿読取装置１０において原稿押さえ部材１１が開かれた状態を示す斜視図である。図３（Ａ）および図３（Ｂ）は、原稿読取装置１０の上面図であり、図３（Ａ）は、原稿押さえ部材１１の後述する扉部１２が閉じられた状態を示し、図３（Ｂ）は、原稿押さえ部材１１の扉部１２が開かれた状態を示す。図４は、原稿読取装置１０の断面図である。
【００２２】
図２に示すように、原稿読取装置１０は、原稿が載置される載置面２２Ａを有するコンタクトガラス２２と、コンタクトガラス２２の載置面２２Ａに対して開閉自在に設けられる原稿押さえ部材１１とを備えている。
【００２３】
図４に示すように、コンタクトガラス２２の載置面２２Ａとは反対側の面側には、主走査方向に延びたラインセンサを有する読取ユニット２０が設けられている。読取ユニット２０は、モーターやギア等からなる読取ユニット駆動部３０（図５参照）により副走査方向に往復移動される。
【００２４】
読取ユニット２０は、ＬＥＤ（Light Emitting Diode）等の発光部２１により、赤、緑、青の３色の光を切り替えながら読取対象の原稿に向けて光を照射するとともに、ＣＭＯＳ（Complementary Metal Oxide Semiconductor）センサー等の不図示の受光部により原稿で反射された反射光を受光する。受光部は、受光した光を電気信号へ変換して、主走査方向の１ライン分の画像データを取得する。当該画像データは、画像形成装置１に内蔵されたＡ／Ｄ変換部によってディジタル信号化された後、さらにシェーディング補正、ガンマ補正、色収差補正、ＭＴＦ（Modulation Transfer Function）補正およびスキャナー色補正等の様々な画像処理が施される。そして、当該画像処理により生成された画像データは、原稿読取装置１０や画像形成装置１に内蔵されたメモリーやＨＤＤ（Hard Disk Drive）等に記憶される。
【００２５】
原稿押さえ部材１１は、ＰＥＴフィルム等の白色のシート部材および柔軟性を有するクッション材からなるプラテンマット１４を有する。プラテンマット１４は、原稿押さえ部材１１が閉じられた状態のときに、原稿が載置されるコンタクトガラス２２の載置面２２Ａに対向し、コンタクトガラス２２の載置面２２Ａ上で原稿を固定する原稿押さえとしての役割、および、原稿読取の際に読取ユニット２０から出射された光を高反射率で反射する反射部材としての役割を果たす。
【００２６】
図１、図３（Ａ）、および図３（Ｂ）に示すように、原稿押さえ部材１１は、原稿押さえ部材１１が閉じられた状態においてコンタクトガラス２２の載置面２２Ａ上に載置された原稿の一部を上方に開放する開口部１３と、当該開口部１３を開閉する扉部１２とを有する。扉部１２には取手部１２Ａが設けられており、ユーザーは、取手部１２Ａを掴んで上方に引くことで、図１中の矢印Ａ方向に扉部１２を開くことができる。
【００２７】
図２に示すように、扉部１２の裏面（原稿押さえ部材１１が閉じられた状態のときにコンタクトガラス２２の載置面２２Ａに対向する面）には、既述のプラテンマット１４と同じ材料からなるプラテンマット１２Ｂが設けられている。当該プラテンマット１２Ｂは、原稿押さえ部材１１が閉じられ、かつ、扉部１２が閉じられた状態において、原稿押さえ部材１１のプラテンマット１４とともに、原稿押さえおよび反射部材としての役割を果たす。
【００２８】
また、原稿押さえ部材１１が閉じられ、かつ、扉部１２が開かれた状態において、コンタクトガラス２２の載置面２２Ａ上に載置された原稿は、その一部が開口部１３を通じて原稿読取装置１０の上方から視認可能な状態になる。図３（Ｂ）に示す例では、原稿押さえ部材１１に設けられた２つの扉部１２のうち、一方の扉部１２が開かれ、他方の扉部１２が閉じられている。扉部１２が開かれることで、Ａ４サイズの原稿の一部が開口部１３を通じて原稿読取装置１０の上方から視認可能となっている。開口部１３は、開口の大きさが少なくともユーザーの手が挿入可能な大きさとされている。ユーザーは、開口部１３を通じてコンタクトガラス２２の載置面２２Ａ上に載置された原稿に触れ、当該原稿の載置面２２Ａ上での載置位置を調整することができる。
【００２９】
コンタクトガラス２２の載置面２２Ａには、原稿のサイズ毎に、正しい載置位置が予め設定されている。この正しい載置位置から原稿がずれた場合、原稿読取により得られる画像データが、原稿の一部が切れた画像データや、傾いた原稿の画像データとなる。このため、コンタクトガラス２２の載置面２２Ａ上に原稿を載置する際に誤った載置位置に原稿を載置した場合や、原稿押さえ部材１１を閉じる際に生じる風等により原稿が正しい載置位置からずれた場合等には、ユーザーが再度原稿をセットする必要がある。
【００３０】
この点、原稿読取装置１０では、原稿押さえ部材１１を開かなくとも扉部１２を開くことで、原稿の載置位置を調整することができる。開口部１３からは原稿の一部のみが露出しており、それ以外の原稿部分は原稿押さえ部材１１により固定されているため、扉部１２を閉じる際に生じる風等により原稿の載置位置がずれることがない。
【００３１】
次に、画像形成装置１および原稿読取装置１０の内部構成を説明する。図５は、画像形成装置１および原稿読取装置１０の内部構成を示すブロック図である。
【００３２】
画像形成装置１は、既述の原稿読取装置１０、画像形成部４３、および操作部５０等に加えて、記憶部６０、開閉検知センサー７０、および制御ユニット１００等を備えている。
【００３３】
記憶部６０は、ＨＤＤ（Hard Disk Drive）等の大容量の記憶装置である。
【００３４】
開閉検知センサー７０は、複数の接触または非接触のセンサーから構成され、原稿押さえ部材１１の開閉および扉部１２の開閉を検知する。
【００３５】
制御ユニット１００は、ＣＰＵ(Central Processing Unit)、ＲＡＭ（Random Access Memory）、およびＲＯＭ（Read Only Memory）等から構成される。制御ユニット１００は、上記のＲＯＭまたは記憶部６０に記憶された制御プログラムが上記のＣＰＵに実行されることにより、制御部１０１、動作制御部１０２、表示制御部１０３、受付部１０４、および移動検知部１０５として機能する。なお、制御ユニット１００の制御部１０１、動作制御部１０２、表示制御部１０３、受付部１０４、および移動検知部１０５は、上記の制御プログラムに基づく動作によらず、それぞれハード回路により構成されてもよい。
【００３６】
制御部１０１は、原稿読取装置１０、画像形成部４３、操作部５０、記憶部６０、および開閉検知センサー７０等と接続されており、接続されている上記各機構の動作制御や、各機構との間での信号またはデータの送受信を行う。
【００３７】
動作制御部１０２は、画像形成装置１の全体的な動作制御を司る。特に、動作制御部１０２は、読取ユニット２０による原稿読取動作を制御する読取制御部としての役割を果たす。
【００３８】
表示制御部１０３は、表示部５１による表示動作を制御する機能を有する。
【００３９】
受付部１０４は、操作部５０の物理キー５２やタッチパネル機能を用いて入力される指示を受け付ける機能を有する。
【００４０】
移動検知部１０５は、コンタクトガラス２２の載置面２２Ａ上に載置された原稿の載置面上での移動を検知する機能を有する。
【００４１】
以下では、上記の制御ユニット１００の各構成の詳細を、図６および図７に示すフローチャートを用いて説明する。図６は、原稿読取装置１０の原稿読取処理の流れを示すフローチャートである。図７は、図６に示す処理のうち一部の処理の詳細な内容を示す図である。
【００４２】
受付部１０４が原稿読取指示を受け付けた場合（ステップＳ１０においてＹＥＳ）、動作制御部１０２は、読取ユニット駆動部３０を制御して、当該原稿読取指示で指定される原稿読取範囲の間で読取ユニット２０を往復移動させる（ステップＳ１１）。
【００４３】
ステップＳ１１の処理後、動作制御部１０２は、読取ユニット２０に原稿読取範囲の全範囲を読み取らせて、移動前の原稿を示す画像データを取得する（ステップＳ１２）。図７に示す例では、コンタクトガラス２２の載置面２２Ａの正しい載置位置から原稿がずれてセットされたために、傾いた原稿の画像データＰ１が取得されている。
【００４４】
ステップＳ１２の処理後、表示制御部１０３は、ステップＳ１２の処理で得た移動前の原稿を示す画像データを用いてプレビュー画面を表示部５１に表示させる（ステップＳ１３）。
【００４５】
図８（Ａ）に示す例では、表示部５１に表示されるプレビュー画面Ｄ１に、移動前の原稿を示す画像、および、ユーザーが所望する画像でない場合に原稿押さえ部材１１の扉部１２を開いて原稿の位置を調整すべき旨を示す記載が示されている。また、プレビュー画面Ｄ１には、原稿読取ジョブおよび画像形成ジョブの実行指示（印刷指示）を入力するための印刷ボタンｄ１と、原稿読取ジョブおよび画像形成ジョブのキャンセル指示を入力するためのキャンセルボタンｄ２が設けられている。
【００４６】
ステップＳ１３の処理後、受付部１０４が印刷指示を受け付けた場合（ステップＳ１４においてＹＥＳ）、動作制御部１０２は、印刷処理を実行する（ステップＳ２２）。すなわち、動作制御部１０２は、読取ユニット２０に原稿読取範囲の全範囲を読み取らせて画像データを取得し、画像形成部４３に当該取得した画像データに基づく画像を記録紙に形成させる。
【００４７】
一方、受付部１０４が印刷指示を受け付けず（ステップＳ１４においてＮＯ）、開閉検知センサー７０により扉部１２が開かれたことが検知された場合（ステップＳ１５においてＹＥＳ）、動作制御部１０２は、読取ユニット２０を予め定められた原稿移動検知位置に移動させる（ステップＳ１６）。ここで、原稿移動検知位置は、受付部１０４が受け付けた原稿読取範囲内であって、原稿押さえ部材１１の開口部１３の下方を除いた位置に設定される（図４参照）。後述するように、扉部１２が開かれた状態で読取ユニット２０の発光部２１から光が照射されるが、原稿移動検知位置が原稿押さえ部材１１の開口部１３の下方を除いた位置に設定されるため、読取ユニット２０の発光部２１から照射された光がユーザーの目に入射するおそれがない。
【００４８】
ステップＳ１６の処理後、動作制御部１０２は、読取ユニット２０に、原稿移動検知位置で読み取り動作を行わせる（ステップＳ１７）。当該ステップＳ１７の処理により動作制御部１０２は、原稿の一部の領域（原稿移動検知位置の上方に位置する領域）を示す画像データ（図７に示す例では画像データＰ２）を取得する。
【００４９】
なお、ステップＳ１７の処理において、動作制御部１０２は、通常の読み取り動作において読取ユニット２０の発光部２１が照射する光よりも弱い強度の光を発光部２１に照射させてもよい。後述するように、ステップＳ１７の処理で取得する画像データは、原稿の移動を検知する処理（ステップＳ１８）、および画像データを補完する処理（ステップＳ１９）を実行するために用いられる。原稿の移動を検知する処理や画像データを補完する処理は、画像データが高い品質（高解像度）でなくても実行することができる。このため、照射する光の強度が弱くすることで、ステップＳ１７の処理で得られる画像データの品質が低下するものの、万が一発光部２１から照射された光が漏れ出た場合に、ユーザーの目に強い強度の光が入射する事態を回避することができる。
【００５０】
ステップＳ１７の処理後、移動検知部１０５は、コンタクトガラス２２の載置面２２Ａ上に載置された原稿が移動されたか否かを検知する（ステップＳ１８）。具体的には、移動検知部１０５は、ステップＳ１７の処理で動作制御部１０２が取得した画像データをモニタし、当該画像データが変化した場合に、原稿が移動されたことを検知する。図７に示す例では、動作制御部１０２が取得した画像データが、画像データＰ２から画像データＰ３に変化している。
【００５１】
また、移動検知部１０５は、ステップＳ１７の処理で動作制御部１０２が取得した移動前の画像データと移動後の画像データに含まれる特徴点を抽出し、当該抽出した特徴点のパターンマッチングを行うことにより、コンタクトガラス２２の載置面２２Ａ上に載置された原稿の載置面２２Ａ上での移動量および移動方向を示す情報を取得する。
【００５２】
ステップＳ１８の処理後、表示制御部１０３は、ステップＳ１７の処理で取得した移動後の原稿の一部の領域を示す画像データについて、移動後の原稿の一部の領域以外の領域をステップＳ１２の処理で取得した移動前の原稿を示す画像データを用いて補完する（ステップＳ１９）。例えば、表示制御部１０３は、ステップＳ１８の処理で移動検知部１０５が取得した移動量および移動方向を示す情報を用いて上記の画像データの補完処理を行う。これにより、表示制御部１０３は、移動後の全領域の画像データ（図７に示す例では、画像データＰ４）を取得することができる。
【００５３】
ステップＳ１９の処理後、表示制御部１０３は、ステップＳ１９の処理で得た移動後の原稿を示す画像データを用いてプレビュー画面を更新する（ステップＳ２０）。これにより、図８（Ｂ）に示すように、ユーザーが扉部１２を開いて原稿の位置を調整する作業において、現在の原稿の位置で原稿の読み取りを行った場合に得られる画像データをユーザーに報知することができる。これにより、ユーザーは原稿の位置を調整する作業をしながら、原稿の読み取りを行った場合に得られる画像データを確認することができる。また、原稿の移動を検知した場合に、読取ユニット２０を原稿読取範囲で再度移動（走査）させるのではなく、読取ユニット２０を原稿読取位置から動かさずに、画像データの補完処理により移動後の画像データを取得するため、移動後の原稿の画像データを高速に表示部５１に表示させることができる。
【００５４】
ステップＳ２０の処理後、受付部１０４が印刷指示を受け付けた場合（ステップＳ２１においてＹＥＳ）、動作制御部１０２は、印刷処理を実行する（ステップＳ２２）。
【００５５】
以上のように、原稿読取装置１０は、原稿押さえ部材１１が閉じられ、かつ、扉部１２が開かれた場合に、ユーザーにより開口部１３を通じてコンタクトガラス２２の載置面２２Ａ上に載置された原稿を当該載置面２２Ａ上で移動させることが可能な状態となり、原稿押さえ部材１１が閉じられ、かつ、扉部１２が閉じられた場合に、動作制御部１０２による制御の下、読取ユニット２０がコンタクトガラス２２の載置面２２Ａ上に載置された原稿を読み取ることが可能な状態になる。これにより、ユーザーが簡易な作業で、コンタクトガラス２２の載置面２２Ａの正しい位置に原稿を載置することが可能となる。
【符号の説明】
【００５６】
１     画像形成装置
１０   原稿読取装置
１１   原稿押さえ部材
１２   扉部
１３   開口部
１４   プラテンマット
２０   読取ユニット
２１   発光部
２２   コンタクトガラス
２２Ａ 載置面
３０   読取ユニット駆動部
４３   画像形成部
５１   表示部
７０   開閉検知センサー
１００ 制御ユニット
１０１ 制御部
１０２ 動作制御部
１０３ 表示制御部
１０４ 受付部
１０５ 移動検知部
【図１】
2016220076.tif 000003
【図２】
2016220076.tif 000004
【図３】
2016220076.tif 000005
【図４】
2016220076.tif 000006
【図５】
2016220076.tif 000007
【図６】
2016220076.tif 000008
【図７】
2016220076.tif 000009
【図８】
2016220076.tif 000010